(57)【要約】【課題】  補正値の保持のために要求される容量を削減する。【解決手段】  各電気光学素子Ｕの輝度は補正値Ｒに応じて補正される。メモリ４５は、特定の電気光学素子Ｕを指定する端部指定データＤを記憶する。補正幅メモリ５１および最大値メモリ５２は、所定の方向に配列する複数の電気光学素子Ｕの各々の位置に応じた補正値Ｒの変動の態様を指定する変動態様データを記憶する。補間部５４は、端部指定データＤによって指定される電気光学素子Ｕを端部として所定の方向に複数の電気光学素子Ｕが配列する補正区間Ｓ内の各電気光学素子Ｕの補正値Ｒが、変動態様データによって指定される態様にて当該各電気光学素子Ｕの位置に応じて変動するように、補正区間Ｓ内の各電気光学素子Ｕの補正値Ｒを補間する。【選択図】      図６
2007086579.tif 000002
【特許請求の範囲】
【請求項１】
階調データに応じた輝度で発光する所定数の電気光学素子の各々の輝度が当該階調データの補正値に基づいて補正される電気光学装置に利用される画像処理装置であって、
前記所定数の電気光学素子のうち一部の電気光学素子を指定する端部指定データを記憶する第１記憶手段と、
所定の方向に配列する複数の電気光学素子の各々の位置に応じた補正値の変動の態様を指定する変動態様データを記憶する第２記憶手段と、
前記第１記憶手段に記憶された端部指定データによって指定される電気光学素子を端部として前記所定の方向に複数の電気光学素子が配列する補正区間内の各電気光学素子の補正値が、当該各電気光学素子の位置に応じて、前記第２記憶手段に記憶された変動態様データによって指定される態様で変動するように、前記補正区間内の各電気光学素子の補正値を補間する補間手段と
を具備する画像処理装置。
【請求項２】
前記第２記憶手段に記憶された変動態様データは、前記補正区間のうち各電気光学素子の補正値と当該電気光学素子に対して前記所定の方向に隣接する他の電気光学素子の補正値とが相違する変動区間の長さである変動長を含み、
前記補間手段は、前記補正区間のうち相互に隣接する各電気光学素子の補正値が相違する区間の長さが、前記変動態様データによって指定される変動長となるように、前記補正区間内の各電気光学素子の補正値を補間する
請求項１に記載の画像処理装置。
【請求項３】
前記補間手段は、前記補正区間のうち当該補正区間の始点および終点の少なくとも一方を含む区間を前記変動区間として、前記補正区間内の各電気光学素子の補正値を補間する
請求項２に記載の画像処理装置。
【請求項４】
前記第２記憶手段に記憶された変動態様データは、前記補正区間のうち各電気光学素子の補正値と当該電気光学素子に対して前記所定の方向に隣接する他の電気光学素子の補正値とが一致する固定区間の長さである固定長を含み、
前記補間手段は、前記補正区間のうち相互に隣接する各電気光学素子の補正値が一致する区間の長さが、前記変動態様データによって指定される固定長となるように、前記補正区間内の各電気光学素子の補正値を補間する
請求項１から請求項３の何れかに記載の画像処理装置。
【請求項５】
前記第２記憶手段に記憶された変動態様データは、前記補正区間における補正値の最大値を含み、
前記補間手段は、前記補正区間における補正値の最大値が、前記変動態様データによって指定される最大値となるように、前記補正区間内の各電気光学素子の補正値を補間する
請求項１から請求項４の何れかに記載の画像処理装置。
【請求項６】
前記第１記憶手段は、２以上の電気光学素子を指定する端部指定データを記憶し、
前記第２記憶手段は、各々が別個の補正区間に対応する複数の変動態様データを記憶し、
前記所定数の電気光学素子の各々を前記所定の方向に沿って配列順に順次に選択する選択手段と、
前記端部指定データによって指定される電気光学素子を前記選択手段が選択するたびに、前記第２記憶手段に記憶された複数の変動態様データの何れかを順次に指定する指定手段とを具備し、
前記補間手段は、前記指定手段が指定した変動態様データに基づいて、当該変動態様データに対応した補正区間内の各電気光学素子の補正値を補間する
請求項１から請求項５の何れかに記載の画像処理装置。
【請求項７】
前記端部指定データは、補正区間の端部の電気光学素子に該当するか否かを電気光学素子ごとに１ビットで指定する
請求項１から請求項６の何れかに記載の画像処理装置。
【請求項８】
前記補間手段は、前記補正区間に属さない各電気光学素子の補正値として、当該電気光学素子の位置に依存しない固定値を指定する
請求項１から請求項７の何れかに記載の画像処理装置。
【請求項９】
所定数の電気光学素子と、
請求項１から請求項８の何れかに記載の画像処理装置と、
前記所定数の電気光学素子の各々を、前記画像処理装置の補間手段が当該電気光学素子について設定した補正値と当該電気光学素子の階調を指定する階調データとに応じた輝度で駆動する駆動手段と
を具備する電気光学装置。
【請求項１０】
請求項９に記載の電気光学装置を具備する電子機器。
【請求項１１】
電気光学装置が備える所定数の電気光学素子の各々について補正値を決定する方法であって、
前記所定数の電気光学素子の各々の輝度を測定し、
前記所定数の電気光学素子のうち一の電気光学素子について測定された輝度と当該一の電気光学素子に対して所定の方向に隣接する他の電気光学素子について測定された輝度との相違が所定の閾値を上回る場合に当該相違に応じた補正値を前記一の電気光学素子について特定する単位処理を、前記所定の方向を変化させた複数回にわたって実行し、
前記所定数の電気光学素子の各々について単位処理ごとに特定された各補正値に基づいて当該電気光学素子の補正値を決定する
ことを特徴とする補正値決定方法。
【請求項１２】
前記各単位処理においては、前記一の電気光学素子について測定された輝度と前記他の電気光学素子について測定された輝度との相違が前記所定の閾値を下回る場合に、その相違に依存しない固定値を前記一の電気光学素子の補正値として指定する
請求項１１に記載の補正値決定方法。
【発明の詳細な説明】
【技術分野】
【０００１】
本発明は、有機発光ダイオード（以下「ＯＬＥＤ（Organic  Light  Emitting  Diode）」という）素子などの電気光学素子を所期の輝度に制御する技術に関する。
【背景技術】
【０００２】
複数の電気光学素子を配列した電気光学装置においては、各電気光学素子の特性のバラツキに起因した輝度のムラが問題となる。この輝度のムラを解消するための技術として、例えば特許文献１には、実際の輝度のバラツキに応じて電気光学素子ごとに予め決定された補正値をメモリに記憶しておき、各電気光学素子の階調を指定する階調データをその電気光学素子の補正値に応じて補正する技術が開示されている。この技術によれば、各電気光学素子の特性の相違を補償して輝度のムラを抑制することができる。
【特許文献１】特開２００５−４９８４１号公報（段落００４０および図１）
【発明の開示】
【発明が解決しようとする課題】
【０００３】
しかしながら、特許文献１の構成においては、総ての電気光学素子について補正値を保持する必要があるから大容量のメモリが必要となり、電気光学装置の回路規模が肥大化するとともに製造コストが増大するという問題がある。また、画像の高精細化や大画面化の要求に応えるべく電気光学素子の総数を増加させると、メモリに記憶すべき補正値の個数も必然的に増大するから、以上の問題はいっそう深刻となる。本発明は、このような事情に鑑みてなされたものであり、補正値の保持のために要求される容量を削減するという課題の解決を目的としている。
【課題を解決するための手段】
【０００４】
この課題を解決するために、本発明に係る画像処理装置は、階調データに応じた輝度で発光する所定数の電気光学素子の各々の輝度が当該階調データの補正値に基づいて補正される電気光学装置に利用される画像処理装置であって、所定数の電気光学素子のうち一部の電気光学素子を指定する端部指定データを記憶する第１記憶手段（例えば図６のメモリ４５）と、所定の方向に配列する複数の電気光学素子の各々の位置に応じた補正値の変動の態様を指定する変動態様データ（例えば変動長Ｖ・固定長Ｗおよび最大値Ｐ）を記憶する第２記憶手段（例えば図６の補正幅メモリ５１および最大値メモリ５２）と、第１記憶手段に記憶された端部指定データによって指定される電気光学素子を端部として所定の方向に複数の電気光学素子が配列する補正区間内の各電気光学素子の補正値が、当該各電気光学素子の位置に応じて、第２記憶手段に記憶された変動態様データによって指定される態様で変動するように、補正区間内の各電気光学素子の補正値を補間する補間手段（例えば図６の補間部５４）とを具備する。
【０００５】
この構成によれば、補正区間の端部に相当する電気光学素子が端部指定データによって指定され、かつ、この補正区間に属する各電気光学素子の補正値の変動の態様が変動態様データによって指定されるから、総ての電気光学素子について補正値を画像処理装置が保持する必要はない。したがって、補正値を記憶するための容量を削減することができる。なお、本発明に係る画像処理装置は、画像の処理に専用されるＤＳＰ（Digital Signal Processor）などのハードウェアによって実現されてもよいし、ＣＰＵ（Central Processing Unit）などのコンピュータとこれによって実行されるプログラムとの協働によって実現されてもよい。
【０００６】
なお、本発明における電気光学素子とは、電流の供給や電圧（電界）の印加といった電気エネルギの付与によって輝度（階調）が制御される要素である。電気光学素子の典型例はＯＬＥＤ素子であるが、本発明における電気光学素子はこれに限定されない。
また、本発明の「所定数の電気光学素子」は、電気光学装置が備える総ての電気光学素子である必要はない。例えば、電気光学装置が備えるすべての電気光学素子のうち特定の領域の電気光学素子に対して補正が必要であるような場合には、この領域に属する所定数の電気光学素子のみが本発明による補正値の設定の対象とされた構成としてもよい。
【０００７】
また、本発明において、変動態様データによって指定される補正値の変動の態様や、この変動態様データを利用した補間の具体的な方法は任意である。例えば、補正区間内の各電気光学素子の位置に対する補正値の変動を直線で近似することで各電気光学素子に対応する補正値を算定してもよいし、補正区間内の各電気光学素子の位置に対する補正値の変動を曲線で近似することで各電気光学素子に対応する補正値を算定してもよい。
【０００８】
また、第１記憶手段と第２記憶手段とは、各々が独立した記憶装置であってもよいし単一の記憶装置に設定された別個の記憶領域であってもよい。また、端部指定データは各々が独立した複数の記憶装置に分散して記憶されていてもよい（すなわち第１記憶手段が複数の記憶装置で構成される）。同様に、変動態様データは各々が独立した複数の記憶装置に分散して記憶されてもよい（この場合には第２記憶手段が複数の記憶装置で構成される）。
【０００９】
本発明の好適な態様において、第２記憶手段に記憶された変動態様データは、補正区間のうち各電気光学素子の補正値と当該電気光学素子に対して所定の方向に隣接する他の電気光学素子の補正値とが相違する変動区間（例えば図４や図５の変動区間Ｓv）の長さである変動長（例えば図６や図７の変動長Ｖ）を含み、補間手段は、補正区間のうち相互に隣接する各電気光学素子の補正値が相違する区間の長さが、変動態様データによって指定される変動長となるように、補正区間内の各電気光学素子の補正値を補間する。補正区間のうち相互に隣接する各電気光学素子の補正値が相違する区間長は区々である。本態様によれば、変動態様データによって変動区間の長さである変動長が指定されるから、実際の電気光学素子の特性に合致した補正を実現することができる。
なお、補正区間における変動区間の位置は任意であるが、より望ましい態様において、補間手段は、補正区間のうち当該補正区間の始点および終点の少なくとも一方を含む区間を変動区間として、補正区間内の各電気光学素子の補正値を補間する。この態様によれば、補正区間における変動区間の位置を指定するための構成または処理を不要とすることができる。
【００１０】
本発明の他の態様において、第２記憶手段に記憶された変動態様データは、補正区間のうち各電気光学素子の補正値と当該電気光学素子に対して所定の方向に隣接する他の電気光学素子の補正値とが一致する固定区間の長さである固定長を含み、補間手段は、補正区間のうち相互に隣接する各電気光学素子の補正値が一致する区間の長さが、変動態様データによって指定される固定長となるように、補正区間内の各電気光学素子の補正値を補間する。補正区間のうち相互に隣接する各電気光学素子の補正値が一致する区間長は区々である。本態様によれば、固定区間の長さである固定長が変動態様データによって指定されるから、実際の電気光学素子の特性に合致した補正を実現することができる。
【００１１】
さらに他の態様において、第２記憶手段に記憶された変動態様データは、補正区間における補正値の最大値を含み、補間手段は、補正区間における補正値の最大値が、変動態様データによって指定される最大値となるように、補正区間内の各電気光学素子の補正値を補間する。この態様によれば、変動態様データにおける補正値の最大値が適宜に選定されるから、補正区間における補正値の最大値を実際の電気光学素子の特性に応じて決定することで高精度の補正が実現される。
【００１２】
所定数の電気光学素子についてひとつの補正区間のみが設定される構成であってもよいが、より高精度かつ精緻な補正を実現するためには複数の補正区間が設定されることが望ましい。そこで、本発明の好適な態様において、第１記憶手段は、２以上の電気光学素子を指定する端部指定データを記憶し、第２記憶手段は、各々が別個の補正区間に対応する複数の変動態様データを記憶し、所定数の電気光学素子の各々を所定の方向に沿って配列順に順次に選択する選択手段（例えば図６のアドレスカウンタ４３）と、端部指定データによって指定される電気光学素子を選択手段が選択するたびに、第２記憶手段に記憶された複数の変動態様データの何れかを順次に指定する指定手段（例えば図６のアドレスカウンタ４７）とを具備し、補間手段は、指定手段が指定した変動態様データに基づいて、当該変動態様データに対応した補正区間内の各電気光学素子の補正値を補間する。
【００１３】
本発明の望ましい態様において、端部指定データは、補正区間の端部の電気光学素子に該当するか否かを電気光学素子ごとに１ビットで指定する。この態様によれば、特に補正区間が多数である場合であっても、第１記憶手段に必要とされる容量を、理想的には電気光学素子の個数に相当するビット数まで削減することが可能である。もっとも、端部指定データの態様はこの例示に限定されない。例えば、補正区間の端部の電気光学素子の位置を指定するデータを端部指定データとしてもよい。
【００１４】
本発明において、補正区間以外の区間に属する各電気光学素子の補正値を選定する構成または方法は任意である。ただし、より好適な態様において、補間手段は、補正区間に属さない各電気光学素子の補正値として、当該電気光学素子の位置に依存しない固定値を指定する。この態様によれば、補正区間に属さない各電気光学素子の補正値が一律に固定値に指定されるから、各電気光学素子の補正値を決定する構成や処理がさらに簡素化される。なお、この態様における固定値の典型例は、非補正（補正なし）を指定する数値である。例えば、非補正を指定する数値は、電気光学素子に指定された階調に対する補正値の加算または減算によって輝度が補正される構成においては「０」であり、電気光学素子に指定された階調に対する補正値の加算または減算によって輝度が補正される構成においては「１」である。
【００１５】
本発明に係る電気光学装置（例えば発光素子を電気光学素子として採用した発光装置）は、所定数の電気光学素子と、以上に例示した何れかの態様に係る画像処理装置と、所定数の電気光学素子の各々を、画像処理装置の補間手段が当該電気光学素子について設定した補正値と当該電気光学素子の階調を指定する階調データとに応じた輝度で駆動する駆動手段とを具備する。この態様によれば、各電気光学素子の補正値を保持するための容量を削減しながら、各電気光学素子の輝度を補正して例えば各々の輝度のムラを抑制することができる。
【００１６】
なお、画像処理装置と駆動手段との部品としての切り分けは任意である。例えば、駆動手段として機能するＩＣチップに画像処理装置が搭載された構成としてもよいし、駆動手段に相当するＩＣチップと画像処理装置とが別個に設置された構成としてもよい。
【００１７】
また、補間手段が特定した補正値に基づいて電気光学素子の輝度を補正する機能を画像処理装置および駆動手段の何れが備えるかは任意である。例えば、本発明のひとつの態様において、画像処理装置は、補間手段が各電気光学素子について算定した補正値に基づいて当該電気光学素子の階調データを補正する補正手段（例えば図６の補正部５６）をさらに具備する。この態様によれば、各電気光学素子を駆動するための駆動手段に階調データを補正するための機能を持たせる必要がないから、補正の機能を持たない従来の駆動回路を電気光学装置に流用することができる。
【００１８】
本発明に係る電気光学装置は各種の電子機器に利用される。この電子機器の典型例は、電気光学装置を表示装置として利用した機器である。この種の電子機器としては、パーソナルコンピュータや携帯電話機などがある。もっとも、本発明に係る電気光学装置の用途は画像の表示に限定されない。例えば、光線の照射によって感光体ドラムなどの像担持体に潜像を形成するための露光装置（露光ヘッド）としても本発明の電気光学装置を適用することができる。
【００１９】
また、本発明に係る補正値決定方法は、電気光学装置が備える所定数の電気光学素子の各々について補正値を決定する方法であって、所定数の電気光学素子の各々の輝度を測定し、所定数の電気光学素子のうち一の電気光学素子について測定された輝度と当該一の電気光学素子に対して所定の方向に隣接する他の電気光学素子について測定された輝度との相違が所定の閾値を上回る場合に当該相違に応じた補正値を一の電気光学素子について特定する単位処理を、所定の方向を変化させた複数回にわたって実行し、所定数の電気光学素子の各々について単位処理ごとに特定された各補正値に基づいて当該電気光学素子の補正値を決定する。この発明によれば、各電気光学素子の実際の輝度とその電気光学素子に複数の方向にわたって隣接する各電気光学素子の実際の輝度との相違に応じて補正値が決定されるから、各方向に沿った輝度のムラを有効に抑制することができる。
【００２０】
この方法の各単位処理においては、例えば、一の電気光学素子について測定された輝度と他の電気光学素子について測定された輝度との相違が所定の閾値を下回る場合に、その相違に依存しない固定値を一の電気光学素子の補正値として指定する。この態様によれば、相互に隣接する電気光学素子の実際の輝度の相違が閾値を下回る場合（例えば人間が知覚し得ない程度の輝度の相違に過ぎない場合）には、この輝度の相違に依存しない固定値が電気光学素子の補正値として指定される。したがって、総ての電気光学素子について輝度の測定値に応じた補正値が算定される構成と比較して補正値の算定の処理の負荷を低減しながら、観察者に知覚され得る輝度のムラを有効に抑制することができる。
【発明を実施するための最良の形態】
【００２１】
＜Ａ：電気光学装置の構成＞
図１は、本発明のひとつの実施形態に係る電気光学装置の構成を示すブロック図である。この電気光学装置Ｄは、各種の電子機器に搭載されて画像を表示する表示装置であり、図１に示されるように、複数の電気光学素子Ｕが配列された電気光学パネル１０と、画像に関する処理を実行する画像処理装置４０とを含む。
【００２２】
電気光学パネル１０は、Ｘ方向（行方向）に延在するｍ本の走査線１２と、Ｘ方向と直交するＹ方向（列方向）に延在するｎ本のデータ線１４とを含む（ｍおよびｎは自然数）。各電気光学素子Ｕは、走査線１２とデータ線１４との各交差に対応して配置される。したがって、これらの電気光学素子Ｕは、Ｘ方向およびＹ方向にわたって縦ｍ行×横ｎ列のマトリクス状に配列する。各電気光学素子Ｕは、相互に対向する陽極と陰極との間隙に有機ＥＬ（ElectroLuminescent）材料の発光層を介在させた構造のＯＬＥＤ素子である。
【００２３】
電気光学パネル１０は、各電気光学素子Ｕを駆動する走査線駆動回路２２およびデータ線駆動回路２４を含む。走査線駆動回路２２は、複数の走査線１２の各々を順番に選択する回路である。データ線駆動回路２４は、各電気光学素子Ｕに指定される階調に応じたレベル（電流値または電圧値）のデータ信号を各データ線１４に出力する。各電気光学素子Ｕの階調は、画像処理装置４０から出力される階調データＧ1によって指定される。そして、走査線駆動回路２２が選択した走査線１２に対応する各電気光学素子Ｕは、この選択時にデータ線１４に供給されているデータ信号に応じた輝度（階調）で発光する。
【００２４】
画像処理装置４０には画像信号VIDが入力される。この画像信号VIDは、電気光学装置Ｄが搭載される電子機器のＣＰＵ（Central  Processing  Unit）など各種の上位装置から供給されるデジタル信号である。画像信号VIDは、各電気光学素子Ｕの階調を指定する階調データＧ0を含む。画像処理装置４０は、電気光学素子Ｕごとに補正値Ｒを特定し、各電気光学素子Ｕの階調データＧ0をその電気光学素子Ｕについて特定した補正値Ｒに基づいて補正することで階調データＧ1を生成する。なお、図１においては画像処理装置４０が電気光学パネル１０とは別個の要素として図示されているが、画像処理装置４０の一部または全部は、電気光学パネル１０に実装されてもよいし、走査線駆動回路２２やデータ線駆動回路２４のＩＣチップに搭載されてもよい。
【００２５】
ここで、画像処理装置４０の具体的な構成の説明に先立ち、この画像処理装置４０にて使用される補正値Ｒの特定について概要を説明する。図２のグラフ(a)は、総ての電気光学素子Ｕに対して同階調が指定された場合の各電気光学素子Ｕの実際の輝度を示すグラフである。このグラフ(a)においては、１行分の電気光学素子ＵのＸ方向における位置が横軸に示され、各電気光学素子Ｕの輝度の測定値が縦軸に示されている。
【００２６】
グラフ(a)における特性Ｆ0は、画像処理装置４０による補正が実施されない場合の各電気光学素子Ｕの輝度を示している。特性Ｆ0から把握されるように、総ての電気光学素子Ｕに対して同一の階調が指定された場合であっても、各走査線１２における電圧降下や各電気光学素子Ｕの特性の誤差（ひとつの電気光学素子Ｕの特性と設計値との相違、または、各電気光学素子Ｕの特性のバラツキ）に起因して、各電気光学素子Ｕの輝度はその位置に応じて相違する。本実施形態の画像処理装置４０は、このような輝度の相違が低減されるように補正値Ｒを電気光学素子Ｕごとに選定し、この補正値Ｒに基づいて階調データＧ0を補正する。
【００２７】
ところで、人間の視覚には、相互に隣接する各電気光学素子Ｕの輝度の相違が特に顕著に知覚されるという特性がある。このような特性に鑑みて、本実施形態においては、各電気光学素子Ｕの輝度とこれに隣接する他の電気光学素子Ｕの輝度との相違の大小に応じて補正値Ｒが決定される。ただし、各電気光学素子Ｕの輝度の相違が微小であれば、その相違は観察者によって殆ど知覚されない。そこで、本実施形態においては、相互に隣接する各電気光学素子Ｕの輝度の相違が大きい場合に限ってその相違に応じた数値の補正値Ｒを決定し、各輝度の相違が小さい場合には補正値Ｒを「０」に設定する。ある電気光学素子Ｕの補正値Ｒが「０」ということは、その電気光学素子Ｕの階調データＧ0に対する補正が実行されない（すなわち階調データＧ0がそのままの数値を維持したまま階調データＧ1として出力される）ことを意味する。
【００２８】
図３は、各電気光学素子Ｕの輝度が補正される様子を示す概念図である。同図においては、Ｘ方向に沿って隣接する第（j-1）列目から第（j+1）列目までの３個の電気光学素子Ｕの輝度が縦軸に示されている（ｊは自然数）。ここで、第ｋ列目（ｋは任意の自然数）の電気光学素子Ｕの輝度ＬkとそのＸ方向の負側に隣接する電気光学素子Ｕの輝度Ｌk-1との相違の大小の指標（以下「変動率」という）ｄkを以下の式(1)で定義する。ただし、式(1)における輝度Ｌk-1は、第（k-1）列目の電気光学素子Ｕの補正値Ｒに基づく補正後の輝度である。
ｄk＝（Ｌk-1−Ｌk）／｛（Ｌk-1＋Ｌk）／２｝  ……(1)
【００２９】
以上の式(1)で算定される変動率ｄkが所定の閾値ＴＨを上回る場合（すなわち第ｋ列目と第（k-1）列目との輝度の相違が観察者に知覚され得る程度に大きい場合）には変動率ｄkに応じた補正値Ｒが決定される。一方、変動率ｄkが所定の閾値ＴＨを下回る場合（すなわち第ｋ列目の第（k-1）列目との輝度の相違が観察者に知覚されない程度に小さい場合）には補正値Ｒが「０」に設定される。
【００３０】
図３においては、第ｊ列の変動率ｄjが所定の閾値ＴＨ（例えば０．５）を上回る場合が例示されている。この場合には、変動率ｄjが低減されるように（すなわち第ｊ列目と第（j-1）列目との輝度が近づくように）第ｊ列目の電気光学素子Ｕの補正値Ｒが決定される。本実施形態における補正値Ｒは、この補正値Ｒに基づく補正後の変動率ｄjが閾値ＴＨ以下となるように決定される。
【００３１】
一方、図３に示されるように、変動率ｄj+1は、第（j+1）列目の電気光学素子Ｕの輝度Ｌj+1と第ｊ列目の電気光学素子Ｕの補正後の輝度Ｌjとから算定される。同図においては、第（j+1）列目の変動率ｄj+1が閾値ＴＨを下回る場合が例示されている。この場合には、第（j+1）列目の電気光学素子Ｕの輝度について補正は実行されない（すなわち補正値Ｒは「０」）。
【００３２】
図２のグラフ(a)に図示された特性Ｆ1は、特性Ｆ0として図示された各電気光学素子Ｕの輝度を、変動率ｄkに応じた補正値Ｒによって補正したときの輝度である。特性Ｆ1から把握されるように、各電気光学素子Ｕの輝度は、相互に隣接する各電気光学素子Ｕの輝度の相違（特性Ｆ0における輝度の相違）が低減されるように補正される。
【００３３】
一方、図２のグラフ(b)は、各電気光学素子Ｕについて算定された補正値Ｒを示すグラフである。このグラフ(b)に示されるように、Ｘ方向に沿った各電気光学素子Ｕの配列の順番に補正値Ｒをプロットすると、補正値Ｒが「０」とならない複数の区間（以下では各区間を「補正区間」という）がＸ方向に沿って相互に離間して現れる。各補正区間には、Ｘ方向に隣接する複数の電気光学素子Ｕが含まれる。
【００３４】
図２のグラフ(b)に図示されるように、Ｘ方向に隣接する各電気光学素子Ｕの補正値Ｒを直線で連結すると、ひとつの補正区間Ｓに属する各電気光学素子ＵのＸ方向の位置に応じた補正値Ｒの変動の態様（折れ線の形状）は、図４のような三角形（特に二等辺三角形）または図５のような台形（特に等脚台形）に近似されることが判る。以下では、図４や図５に図示されるように、補正区間ＳのうちＸ方向に隣接する各電気光学素子Ｕの補正値Ｒが相違する区間（すなわちＸ方向に沿って補正値Ｒが増加または減少する区間）を「変動区間Ｓv」と表記し、補正区間ＳのうちＸ方向に隣接する各電気光学素子Ｕの補正値Ｒが一致する区間（すなわちＸ方向の位置によらず補正値Ｒが固定値となる区間）を「固定区間Ｓw」と表記する。また、補正区間ＳのうちＸ方向の最も負側に位置する電気光学素子Ｕを特に「補正開始点ＳＴ」という。補正開始点ＳＴの補正値Ｒは「０」である。
【００３５】
図４に例示された補正区間Ｓは、補正開始点ＳＴからみてＸ方向の正側の電気光学素子Ｕほど補正値Ｒが直線的に増大する変動区間Ｓvと、Ｘ方向の正側の電気光学素子Ｕほど補正値Ｒが直線的に減少する変動区間Ｓvとを含む。したがって、補正区間Ｓの中点に位置する電気光学素子Ｕの補正値Ｒはその補正区間Ｓのなかで最大値Ｐとなる。一方、図５に例示された補正区間Ｓは、Ｘ方向の正側の電気光学素子Ｕほど補正値Ｒが直線的に増大する変動区間Ｓvと、Ｘ方向の正側の電気光学素子Ｕほど補正値Ｒが直線的に減少する変動区間Ｓvと、双方の変動区間Ｓvの間にあって補正値Ｒが固定値（補正区間Ｓにおける最大値Ｐ）を維持する固定区間Ｓwとを含む。なお、本実施形態においては、説明の明確化のために便宜的に、補正区間Ｓの各変動区間Ｓvに属する電気光学素子Ｕの総数が同一である場合を想定する。
【００３６】
以上のように補正値ＲがＸ方向に沿って三角形状または台形状に変動することに着目し、本実施形態においては、補正区間Ｓの位置とこの区間における補正値Ｒの変動の態様とに基づいて、補正区間Ｓに属する各電気光学素子Ｕの補正値Ｒが補間によって決定される。この機能を実現する画像処理装置４０の具体的な構成は以下の通りである。
【００３７】
＜Ｂ：画像処理装置４０の構成＞
図６は、本実施形態における画像処理装置４０の構成を示すブロック図であり、図７は、この画像処理装置４０の動作を説明するためのタイミングチャートである。図６に示される入出力回路４１は、外部から供給される画像信号VIDから階調データＧ0とドットクロック信号DCKとを抽出する手段である。階調データＧ0は補正部５６に出力され、ドットクロック信号DCKはアドレスカウンタ４３に出力される。ドットクロック信号DCKは、所定の周期（例えば垂直走査期間の時間長を電気光学素子Ｕの総数で除算した時間長）のクロック信号である。
【００３８】
アドレスカウンタ４３とその後段のメモリ４５とは、図４や図５に示した補正区間Ｓの位置を指定する手段である。メモリ４５は、各々が別個の電気光学素子Ｕに対応する複数（ｍ×ｎ個）の端部指定データＤ（Ｄ11ないしＤmn）を記憶する。ひとつの端部指定データＤは、これに対応する電気光学素子Ｕが図４や図５の補正開始点ＳＴに該当するか否かを示すデータである。本実施形態の端部指定データＤは、これに対応する電気光学素子Ｕが補正開始点ＳＴに該当すれば「１」に設定され、この電気光学素子Ｕが補正開始点ＳＴに該当しなければ「０」に設定される１ビットのデータである。したがって、メモリ４５は「ｍ×ｎ」ビットのメモリで足りる。
【００３９】
アドレスカウンタ４３は、複数の電気光学素子Ｕの各々を順番に選択する手段である。さらに詳述すると、アドレスカウンタ４３は、ドットクロック信号DCKに同期して（例えばドットクロック信号DCKの１周期ごとに）複数の電気光学素子Ｕの各々を選択し、ここで選択した電気光学素子Ｕの端部指定データＤのアドレスＡＤ1をメモリ４５に対して順次に指定する。複数の電気光学素子Ｕの各々はその配列の順番に選択される。すなわち、第１行に属する第１列目から第ｎ列目までの電気光学素子Ｕがこの順番に（すなわちＸ方向の正側に向かって）選択され、同行の第ｎ列目の電気光学素子Ｕの選択が終了すると、今度は第２行に属する第１列目から第ｎ列目までの各電気光学素子Ｕが同様の順番で選択される。この選択が第ｎ行まで完了すると、次は第１行に戻って各電気光学素子Ｕの選択が繰り返される。
【００４０】
メモリ４５は、アドレスカウンタ４３によって指定されたアドレスＡＤ1の端部指定データＤを順次に読み出してアドレスカウンタ４７に出力する。したがって、図７に示されるように、補正開始点ＳＴに相当する電気光学素子Ｕをアドレスカウンタ４３が選択したタイミングにおいては数値「１」の端部指定データＤがメモリ４５から出力され、それ以外の電気光学素子Ｕが選択されたタイミングにおいては数値「０」の端部指定データＤがメモリ４５から出力される。
【００４１】
図６のアドレスカウンタ４７は、補正幅メモリ５１および最大値メモリ５２のアドレスＡＤ2を順次に指定する手段である。さらに詳述すると、アドレスカウンタ４７は、メモリ４５から順次に供給される端部指定データＤが「１」となったタイミング（すなわち、補正開始点ＳＴに該当する電気光学素子Ｕがアドレスカウンタ４３によって選択されたタイミング）で補正幅メモリ５１および最大値メモリ５２のアドレスＡＤ2を指定する。
【００４２】
補正幅メモリ５１は、複数の補正区間Ｓの各々について、当該補正区間Ｓにおける変動区間Ｓvの長さ（以下「変動長」という）Ｖと固定区間Ｓwの長さ（以下「固定長」という）Ｗとを記憶する手段である。変動長Ｖおよび固定長Ｗは、各区間に属する電気光学素子Ｕの個数によって指定される。一方、最大値メモリ５２は、複数の補正区間Ｓの各々について、当該補正区間Ｓにおける補正値Ｒの最大値Ｐを記憶する手段である。
【００４３】
アドレスカウンタ４７は、何れかの補正区間Ｓの補正開始点ＳＴに対応して端部指定データＤが「１」となるたびに、その補正区間Ｓの変動長Ｖおよび固定長Ｗのアドレスを補正幅メモリ５１に指定するとともにその補正区間Ｓの最大値Ｐのアドレスを最大値メモリ５２に指定する。補正幅メモリ５１は、アドレスカウンタ４７によって指定されたアドレスから変動長Ｖと固定長Ｗとを読み出して補間部５４に出力し、最大値メモリ５２は、アドレスカウンタ４７によって指定されたアドレスから最大値Ｐを読み出して補間部５４に出力する。したがって、図７に示されるように、何れかの補正区間Ｓの補正開始点ＳＴがアドレスカウンタ４３によって選択されるたびに、その補正区間Ｓの変動長Ｖ（Ｖ1，Ｖ2，……）および固定長Ｗ（Ｗ1，Ｗ2，……）と最大値Ｐ（Ｐ1，Ｐ2，……）との組み合わせが補間部５４に出力される。
【００４４】
補間部５４は、補正幅メモリ５１から供給される変動長Ｖおよび固定長Ｗと最大値メモリ５２から供給される最大値Ｐとに基づく補間によって各電気光学素子Ｕの補正値Ｒを算定する手段である。図７の最上段には、電気光学素子ＵのＸ方向の位置と補間部５４が算定する補正値Ｒとの関係が図示されている。同図に図示されるように、補間部５４は、第１に、補正開始点ＳＴから変動長Ｖにわたって各電気光学素子Ｕの補正値Ｒが「０」から最大値Ｐに到達するように当該変動区間Ｓvの各電気光学素子Ｕの補正値Ｒを補間する。第２に、補間部５４は、変動区間Ｓvの終点から固定長Ｗにわたる固定区間Ｓwに属する各電気光学素子Ｕの補正値Ｒを最大値Ｐに設定する。第３に、補間部５４は、固定区間Ｓwの終点から変動長Ｖにわたって各電気光学素子Ｕの補正値Ｒが最大値Ｐから「０」に到達するように当該変動区間Ｓvの各電気光学素子Ｕの補正値Ｒを補間する。さらに、補間部５４は、補正区間Ｓ以外の区間における各電気光学素子Ｕの補正値Ｒを「０」に設定する。
【００４５】
以上の処理により、例えば変動長Ｖ2と固定長Ｗ2と最大値Ｐ2とが指定される補正区間Ｓ2については、図７に示されるように、底辺の長さが「２・Ｖ2＋Ｗ2」であり高さが「Ｐ2」である等脚台形の各辺上の数値が各電気光学素子Ｕの補正値Ｒとして算定される。一方、図７に示されるように、変動長Ｖ1と最大値Ｐ1とが指定されるとともに固定長Ｗ1として「０」が指定された補正区間Ｓ1については、底辺の長さが「２・Ｖ1」であり高さが「Ｐ1」である二等辺三角形の各辺上の数値が各電気光学素子Ｕの補正値Ｒとして算定される。
【００４６】
図６に示す補正部５６は、入出力回路４１から電気光学素子Ｕごとに出力される階調データＧ0を、その電気光学素子Ｕについて補間部５４が算定した補正値Ｒに基づいて補正する手段である。本実施形態における補正部５６は、階調データＧ0と補正値Ｒとの加算値を階調データＧ1として算定する。補正部５６から出力された階調データＧ1はデータ線駆動回路２４に供給される。以上の構成および動作によって、各電気光学素子Ｕの特性は図２のグラフ(a)における特性Ｆ0から特性Ｆ1に補正される。すなわち、相互に隣接する各電気光学素子Ｕの輝度の相違が低減され、これにより電気光学パネル１０における輝度のムラは利用者に知覚されない程度に抑制される。
【００４７】
以上に説明したように、本実施形態においては、各電気光学素子Ｕが補正区間Ｓの端部に該当するか否かを示す端部指定データＤと、Ｘ方向に配列する各電気光学素子Ｕの位置に応じた補正値Ｒの変動の態様を指定するデータ（変動長Ｖ，固定長Ｗ，最大値Ｐ）とに基づいて、各電気光学素子Ｕの補正値Ｒが補間される。加えて、補正区間Ｓ以外の区間に属する各電気光学素子Ｕの補正値Ｒは「０」とされる。したがって、本実施形態によれば、総ての電気光学素子Ｕについて補正値Ｒを画像処理装置４０が保持する必要なしに、各電気光学素子Ｕの輝度を補正することが可能である。
【００４８】
＜Ｃ：補正値の決定方法＞
次に、各電気光学素子Ｕの補正値Ｒを決定する方法の具体例を説明する。図８に示されるように、補正値Ｒの決定には測定器７１と情報処理装置７３とが使用される。測定器７１は、各電気光学素子Ｕの輝度（発光量）を測定するためのセンサである。例えばＣＣＤ（Charge Coupled Device）などの受光素子を備えた撮像装置が測定器７１として採用される。
【００４９】
情報処理装置７３は、測定器７１によって測定された各電気光学素子Ｕの輝度に基づいて各電気光学素子Ｕの補正値Ｒを決定する手段である。この情報処理装置７３は、プログラムを実行するＣＰＵ（Central Processing Unit）などの制御部７３１と、この制御部７３１が実行するプログラムやその実行に際して使用されるデータを記憶する記憶部７３２とを含む。
【００５０】
図９は、補正値Ｒの決定のために制御部７３１が実行する処理の内容を示すフローチャートであり、図１０は、この処理によって補正値Ｒが算定される様子を説明するための概念図である。図１０においては、縦３行×横３列の合計９個の電気光学素子Ｕと各々の補正値Ｒとのみに着目しているが、実際には総ての電気光学素子Ｕについて同様の処理が実行される。
【００５１】
図９の処理を開始すると、制御部７３１はまず、データ線駆動回路２４に対する階調データＧ1の出力によって総ての電気光学素子Ｕに同階調を指定する（ステップＳ10）。さらに、制御部７３１は、この駆動時における各電気光学素子Ｕの輝度を測定器７１によって測定する（ステップＳ11）。図１０には、このステップＳ11で各電気光学素子Ｕについて測定された輝度が「輝度初期値」として例示されている。図２のグラフ(a)に特性Ｆ0として示したように、総ての電気光学素子Ｕに同階調が指定された場合であっても、各電気光学素子Ｕの実際の輝度にはバラツキがある。
【００５２】
図９の処理においては、図３を参照して説明したように、各電気光学素子Ｕとこれに対して所定の方向に隣接する電気光学素子Ｕとの輝度の相違に応じて補正値Ｒを決定する処理（以下「単位処理」という）が実行される（ステップＳ13からステップＳ20）。本実施形態においては、輝度の相違が対比されるべき２個の電気光学素子Ｕが隣接する方向Ｄを相違させて複数回（ここでは４回）にわたって単位処理が実行される。図９のステップＳ12において、制御部７３１は、予め定められた複数の方向の何れかを方向Ｄとして選定する。例えば、図１０の部分(a)に各電気光学素子Ｕ間の矢印で示されるように、縦方向（Ｙ方向）が方向Ｄとして選定される。
【００５３】
次に、制御部７３１は、複数の電気光学素子Ｕの何れかを選択する（ステップＳ13）。そして、制御部７３１は、ここで選択した電気光学素子Ｕ（以下では特に「注目素子」という）の輝度とこの注目素子Ｕが方向Ｄに隣接する他の電気光学素子Ｕの輝度との相違を特定する（ステップＳ14）。なお、図３においては各電気光学素子Ｕの輝度の相違を示すパラメータとして変動率ｄkを例示したが、ここでは説明の便宜のために、ステップＳ14においては各輝度の差分値ΔＬが算定されるものとする。例えば、第ｉ行に属する第ｊ列目の電気光学素子Ｕが注目素子Ｕに選定されているとすれば、ステップＳ14においては、注目素子Ｕの輝度と、第（i-1）行に属する第ｊ列目の電気光学素子Ｕの輝度との差分値ΔＬが算定される。
【００５４】
制御部７３１は、ステップＳ14で算定した差分値ΔＬの絶対値が予め定められた閾値ＴＨを上回るか否かを判定する（ステップＳ15）。ここで差分値ΔＬの絶対値が閾値ＴＨを上回らないと判定すると、制御部７３１は、注目素子Ｕの補正値ｒを「０」に設定する（ステップＳ16）。これに対し、差分値ΔＬの絶対値が閾値ＴＨを上回ると判定すると、制御部７３１は、注目素子Ｕの補正値ｒを差分値ΔＬに応じた数値に設定する（ステップＳ17）。ステップＳ16またはステップＳ17にて設定された補正値ｒは記憶部７３２に格納される。
【００５５】
図１０においては閾値ＴＨが「０．５」に設定された場合が例示されている。いま、第（i+1）行に属する第（j-1）列目の電気光学素子Ｕが注目素子Ｕに選定されているとすれば、この注目素子Ｕの輝度「４」と、方向Ｄに注目素子Ｕが隣接する電気光学素子Ｕ（第ｉ行の第（j-1）列目）の輝度「４．５」との差分値ΔＬは「０．５」である。この場合には差分値ΔＬが閾値ＴＨを越えないから（ステップＳ15：No）、注目素子Ｕの補正値ｒ（ｒ1）は「０」に設定される（ステップＳ16）。一方、第（i+1）行に属する第ｊ列目の電気光学素子Ｕが注目素子Ｕに選定されているとすれば、この注目素子Ｕの輝度「６」と、注目素子Ｕが方向Ｄに隣接する電気光学素子Ｕ（第ｉ行の第ｊ列目）の輝度「５」との差分値ΔＬは「１」である。この場合には差分値ΔＬの絶対値が閾値ＴＨを越えるから（ステップＳ15：Yes）、この注目素子Ｕの補正値ｒ（ｒ1）は差分値ΔＬに応じた数値「−０．５」に設定される（ステップＳ17）。補正値ｒは、差分値ΔＬの絶対値が閾値ＴＨ以下となる数値に設定される。
【００５６】
ステップＳ16またはステップＳ17にて注目素子Ｕの補正値ｒを算定すると、制御部７３１は、注目素子Ｕの輝度の測定値をこの補正値ｒに基づいて補正する（ステップＳ18）。本実施形態における制御部７３１は、その時点において測定されている注目素子Ｕの輝度に対して補正値ｒを加算する。次いで、制御部７３１は、電気光学パネル１０の総ての電気光学素子Ｕを注目素子Ｕとして選定したか否かを判定する（ステップＳ19）。ここで未だ注目素子Ｕに選定されていない電気光学素子Ｕが残っていると判定すると、制御部７３１は、それまでの注目素子Ｕとは別個の電気光学素子Ｕを新たな注目素子Ｕとして選定したうえで（ステップＳ20）、ステップＳ14に処理を移行する。すなわち、総ての電気光学素子ＵについてステップＳ14からステップＳ18までの処理が繰り返されて補正値ｒが算定される。
【００５７】
なお、注目素子Ｕの輝度の測定値はステップＳ16またはステップＳ17にて算定された補正値ｒに基づいて補正されるから（ステップＳ18）、それ以後のステップＳ14（すなわち注目素子Ｕの変更後のステップＳ14）においては補正後の輝度の測定値に基づいて差分値ΔＬが算定される。例えばいま、図１０の部分(b)に例示されるように横方向（Ｘ方向）を方向Ｄとした単位処理において、第（i+1）行目の各電気光学素子Ｕに着目する。同図に示されるように、第ｊ列目の電気光学素子Ｕ（注目素子Ｕ）については、第（j-1）列目の電気光学素子Ｕの輝度との差分値ΔＬの絶対値が閾値ＴＨ以下となるように「−１」が補正値ｒとして算定される（ステップＳ17）。したがって、この第ｊ列目の電気光学素子Ｕの輝度の測定値「５．５」は補正値ｒに基づいて「４．５（＝５．５−１）」に補正される（ステップＳ18）。そして、次の単位処理において注目素子Ｕに選定される第（j+1）列目の電気光学素子Ｕについては、ステップＳ14において、第ｊ列目の補正後の輝度（４．５）との差分値ΔＬに基づいて補正値ｒが算定される。図１０（「輝度 補正後(r1)」と併記された部分）に示されるように、第（j+1）列目の電気光学素子Ｕの輝度の測定値は「５」であり、第ｊ列目の補正後の輝度「４．５」との差分値ΔＬは閾値ＴＨ（０．５）以下となるから、この第（j+1）列目の電気光学素子Ｕの補正値ｒは「０」に設定される（ステップＳ16）。
【００５８】
さて、ステップＳ19にて総ての電気光学素子Ｕを注目素子Ｕとして選定したと判定すると、制御部７３１は、予め選定された総ての方向が方向Ｄとして選定されたか否かを判定する（ステップＳ21）。ここで未だ何れかの方向が選定されていないと判定すると、制御部７３１は、方向Ｄをそれまでの方向とは別の方向に変更する（ステップＳ22）。例えば、図１０の部分(b)に各電気光学素子Ｕ間の矢印で示されるように、それまでとは相違する横方向（Ｘ方向）が新たな方向Ｄとして選定される。
【００５９】
さらに、制御部７３１は、直前の単位処理（ステップＳ13ないしステップＳ19）にて電気光学素子Ｕごとに算定した補正値ｒに基づいて各電気光学素子Ｕを駆動させる（ステップＳ23）。すなわち、制御部７３１は、総ての電気光学素子Ｕに対して同階調を指定する階調データＧ1を、直前の単位処理で算定した各補正値ｒに基づいて補正したうえでデータ線駆動回路２４に出力する。次いで、制御部７３１は、この駆動時における各電気光学素子Ｕの輝度を測定器７１によって測定する（ステップＳ24）。そして、制御部７３１は、ステップＳ22で決定した方向ＤとステップＳ24で測定した輝度とに基づいてステップＳ13からステップＳ20までの単位処理を実行し、これにより各電気光学素子Ｕの補正値ｒ（ｒ2）を算定する。さらに、図１０の部分(c)および部分(d)に例示されるように、右斜め上方や右斜め下方といった他の方向についても、それまでの補正値Ｒを踏まえた輝度の測定（ステップＳ23およびステップＳ24）やその方向Ｄを対象とした単位処理（ステップＳ13からステップＳ20）を繰り返す。
【００６０】
そして、総ての方向について単位処理を実行したと判定すると（ステップＳ21：Yes）、制御部７３１は、それまでの各単位処理にて算定された補正値ｒ（ｒ1ないしｒ4）を電気光学素子Ｕごとに加算し、この加算値を各電気光学素子Ｕの補正値Ｒとして決定する（ステップＳ25）。例えば、図１０に例示されたケースでは、第ｉ行に属する第ｊ列目の電気光学素子Ｕの補正値Ｒは、縦方向を方向Ｄとした単位処理で算定された補正値ｒ1（＝０）と、横方向を方向Ｄとして算定された補正値ｒ2（＝０）と、右斜め上方を方向Ｄとして算定された補正値ｒ3（＝−０．５）と、右斜め下方を方向Ｄとして算定された補正値ｒ4（＝０）との加算値（＝−０．５）に設定される。
【００６１】
以上の手順で各電気光学素子Ｕの補正値Ｒを決定すると、制御部７３１は、この補正値Ｒの分布（図２のグラフ(b)）から補正区間Ｓとその補正区間Ｓにおける補正値Ｒの変動の態様とを特定する。そして、制御部７３１は、この特定の結果に基づいて、変動長Ｖと固定長Ｗと最大値Ｐとを補正区間Ｓごとに決定するとともに、補正開始点ＳＴに相当する電気光学素子Ｕを指定する各端部指定データＤを生成する（ステップＳ26）。そして、図８に示されるように、変動長Ｖと固定長Ｗとは補正幅メモリ５１に転送され、最大値Ｐは最大値メモリ５２に転送され、各端部指定データＤはメモリ４５に転送される。
【００６２】
以上のように、本実施形態においては、各電気光学素子Ｕの輝度とその電気光学素子Ｕに複数の方向にわたって隣接する他の電気光学素子Ｕの輝度との相違が閾値ＴＨを下回るように補正値Ｒが決定されるから、各方向にわたる輝度のムラを有効に抑制することができる。また、本実施形態においては、相互に隣接する電気光学素子Ｕの輝度の相違が閾値ＴＨを下回る場合には補正値Ｒが「０」に設定される。したがって、総ての電気光学素子Ｕについて輝度に応じた補正値Ｒが算定される構成と比較して制御部７３１による処理の負荷（演算量）を低減しながら、人間の視覚によって知覚され得る輝度の相違を有効に抑制することができる。
【００６３】
＜Ｄ：変形例＞
以上の形態には様々な変形を加えることができる。具体的な変形の態様を例示すれば以下の通りである。なお、以下の各態様を適宜に組み合わせてもよい。
【００６４】
（１）変形例１  
以上の形態においては、変動長Ｖと固定長Ｗと最大値Ｐとに基づいて補正区間Ｓの各電気光学素子Ｕの補正値Ｒが補間される構成を例示したが、補正区間Ｓにおける補正値Ｒの変動の態様を示すデータ（以下「変動態様データ」という）の内容は適宜に変更される。例えば、補正区間Ｓ内にて補正値Ｒが補正開始点ＳＴから変動するときの勾配（すなわち図４や図５の変動区間Ｓvにおける直線の傾き）を変動長Ｖの代わりに変動態様データに含めてもよい。また、以上の形態においては補正区間Ｓのうち始点側の変動区間Ｓvと終点側の変動区間Ｓvとが同じ区間長である場合を例示したが、各変動区間Ｓvの区間長が別個に設定される構成としてもよい。
【００６５】
以上の形態においては、変動区間Ｓvが補正区間Ｓの各端部を含む区間とされた構成を例示したが、変動区間Ｓvは補正区間Ｓの中途の区間（すなわち始点または終点を含まない区間）であってもよい。ただし、この構成においては、補正区間Ｓにおける変動区間Ｓvの位置を指定するデータが必要となる。一方、以上の形態のように変動区間Ｓvが補正区間Ｓの各端部を含む区間とされた構成においては、端部指定データＤによって補正区間Ｓの位置が確定すれば自動的に変動区間Ｓvの位置も確定するから、変動区間Ｓvの位置を指定する個別のデータが不要であるという利点がある。以上に例示したように、変動態様データは、所定の方向（以上の例示ではＸ方向）に沿って配列する各電気光学素子Ｕの位置に応じた補正値Ｒの変動の態様を指定するデータであれば足り、その具体的な内容の如何は不問である。
【００６６】
さらに、以上の形態においては補正区間Ｓ内の補正値Ｒの変動を直線で近似して各補正値Ｒを補間する構成を例示したが、補正値Ｒの変動は曲線で近似されてもよい。すなわち、変動態様データによって指定される態様で補正区間Ｓ内の補正値Ｒが変動するように各電気光学素子Ｕの補正値Ｒが補間される構成であれば足り、その補間の具体的な方法は任意に変更される。
【００６７】
（２）変形例２  
以上の形態においては、各電気光学素子Ｕが補正開始点ＳＴに該当するか否かを１ビットで指定する端部指定データＤを例示したが、この端部指定データＤの内容は適宜に変更される。例えば、複数の電気光学素子Ｕのうち補正開始点ＳＴに該当する電気光学素子Ｕの位置（座標）を示すデータを端部指定データＤとしてもよい。つまり、端部指定データＤは、補正区間Ｓの端部に相当する電気光学素子Ｕを指定するデータであれば足りる。なお、補正開始点ＳＴの位置を指定する端部指定データＤを使用した場合には、メモリ４５に要求される容量が補正区間Ｓの総数に応じて増加していくのに対し、以上の形態のように補正開始点ＳＴに該当するか否かを１ビットで指定する端部指定データＤを使用した場合、メモリ４５に要求される容量は、補正区間Ｓの総数に拘わらず電気光学素子Ｕの総数に相当したビット数となる。したがって、多数の補正区間Ｓを設定することで補正の精度を向上させることを考慮すると、後者（実施形態）の端部指定データＤがメモリ４５の容量の低減のためには有利である。
【００６８】
（３）変形例３  
以上の形態においては、測定器７１と情報処理装置７３とが電気光学装置Ｄとは別個の装置とされた構成を例示したが、測定器７１と制御部７３１と記憶部７３２とが電気光学装置Ｄに搭載された構成としてもよい。例えば、制御部７３１と記憶部７３２とが画像処理装置４０に内蔵され、測定器７１による測定の結果に基づいて端部指定データＤや変動態様データを随時に更新する。この構成によれば、例えば各電気光学素子Ｕの特性が経時的に変化した場合であっても、この変化後の特性に対応する補正値Ｒを算定して輝度のムラを高精度に補正することができる。
【００６９】
（４）変形例４  
以上の形態においては、階調データＧ0に補正値Ｒを加算することで階調データＧ1が生成される構成を例示したが、階調データＧ0を補正する方法は任意である。例えば、階調データＧ0に補正値Ｒを乗算することで階調データＧ1が生成される構成としてもよい。
【００７０】
また、階調データＧ0が補正値Ｒに応じて補正される必要は必ずしもない。例えばいま、データ線駆動回路２４が、所定の電圧（以下「基準電圧」という）を基準としたレベルのデータ信号を生成する構成を想定する。この場合には、図６の補正部５６が省略されたうえで、入出力回路４１から出力される階調データＧ0と補間部５４から出力される補正値Ｒとがデータ線駆動回路２４に供給される構成としてもよい。データ線駆動回路２４においては、階調データＧ0に応じたレベルのデータ信号が基準電圧に基づいて生成される一方、この基準電圧が補正値Ｒに応じて調整される。この構成によっても、各電気光学素子Ｕを補正値Ｒに応じた輝度で駆動することができる。このように電気光学装置Ｄにおいては、各電気光学素子Ｕの輝度を補正する機能が画像処理装置４０に搭載されている必要は必ずしもない。
【００７１】
また、以上の形態においては、各データ線１４に出力されるデータ信号のレベル（電流値または電圧値）が補正値Ｒに応じて補正される構成を例示したが、この補正の対象は適宜に変更される。例えばいま、データ信号が所定のレベル（例えば電気光学素子Ｕを発光させるレベル）となる時間長が階調データに応じて制御することで多階調を表現する方式（パルス幅変調方式）のデータ線駆動回路２４を想定する。この場合には、各電気光学素子Ｕに供給されるデータ信号を所定のレベルとする時間長がその電気光学素子の補正値Ｒに応じて調整される構成としてもよい。このように電気光学装置Ｄにおいては、各電気光学素子Ｕの階調を指定する階調データと画像処理装置４０にて生成された補正値Ｒとに応じた輝度となるように各電気光学素子Ｕが駆動される構成であれば足り、各電気光学素子Ｕの輝度に補正値Ｒを反映させるための具体的な方法や構成は任意である。
【００７２】
（５）変形例５  
以上の形態においては、メモリ４５と補正幅メモリ５１と最大値メモリ５２とが別個のメモリとされた構成を例示したが、端部指定データＤや変動態様データ（変動長Ｖ・固定長Ｗ・最大値Ｐ）の各々が個別のメモリに格納されるかひとつのメモリに格納されるかは任意に変更される。
【００７３】
（６）変形例６  
以上の形態においては、図９のステップＳ24において各電気光学素子Ｕの輝度を測定器７１で測定する構成を例示したが、このステップＳ24における輝度の測定は必ずしも必要ではない。例えば、ステップＳ18においては、ステップＳ11にて測定された各電気光学素子Ｕの輝度が各単位処理のステップＳ16またはステップＳ17における補正値ｒに基づいて補正される。この補正後の輝度を各電気光学素子Ｕの輝度の測定値として第２回目以後の単位処理を実行してもよい。この場合には各電気光学素子Ｕの輝度を測定する回数が低減される（原理的にはステップＳ11における１回で足りる）という利点がある。
【００７４】
（７）変形例７  
以上の形態においては、電気光学素子ＵとしてＯＬＥＤ素子を例示したが、本発明における電気光学素子はこの例示に限定されない。例えば、無機ＥＬ材料からなる発光層を含む素子やＬＥＤ（Light Emitting Diode）素子あるいはプラズマの放電によって発光するプラズマ発光素子など様々な発光素子を電気光学素子として採用することができる。さらに、本発明の電気光学素子はそれ自身が発光する素子でなくてもよい。例えば、照明装置（バックライト）からの照射光を変調して出射する液晶素子なども本発明の電気光学素子に含まれる。以上のように、各々の輝度が制御される複数の電気光学素子を備えた電気光学装置であれば、各電気光学素子の具体的な構造や輝度を制御する方法の如何を問わず、以上の形態と同様に本発明を適用することができる。
【００７５】
＜Ｅ：応用例＞
次に、本発明に係る電気光学装置を利用した電子機器について説明する。図１１は、以上の形態に係る電気光学装置Ｄを表示装置として採用したモバイル型のパーソナルコンピュータの構成を示す斜視図である。パーソナルコンピュータ２０００は、表示装置としての電気光学装置Ｄと本体部２０１０とを備える。本体部２０１０には、電源スイッチ２００１およびキーボード２００２が設けられている。この電気光学装置Ｄは電気光学素子ＵにＯＬＥＤ素子を使用しているので、視野角が広く見易い画面を表示できる。
【００７６】
図１２に、以上の形態に係る電気光学装置Ｄを適用した携帯電話機の構成を示す。携帯電話機３０００は、複数の操作ボタン３００１およびスクロールボタン３００２、ならびに表示装置としての電気光学装置Ｄを備える。スクロールボタン３００２を操作することによって、電気光学装置Ｄに表示される画面がスクロールされる。
【００７７】
図１３に、以上の形態に係る電気光学装置Ｄを適用した携帯情報端末（ＰＤＡ：Personal Digital Assistants）の構成を示す。情報携帯端末４０００は、複数の操作ボタン４００１および電源スイッチ４００２、ならびに表示装置としての電気光学装置Ｄを備える。電源スイッチ４００２を操作すると、住所録やスケジュール帳といった各種の情報が電気光学装置Ｄに表示される。
【００７８】
なお、本発明に係る電気光学装置が適用される電子機器としては、図１１から図１３に示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などがある。また、本発明に係る電気光学装置の用途は画像の表示に限定されない。例えば、光書込み型のプリンタや電子複写機といった画像形成装置においては、用紙などの記録材に形成される画像に応じて感光体を露光する書込みヘッドが使用されるが、この書込みヘッドとしても本発明の電気光学装置は利用される。
【図面の簡単な説明】
【００７９】
【図１】本発明の実施形態に係る電気光学装置の構成を示すブロック図である。
【図２】各電気光学素子の位置と(a)輝度および(b)補正値との関係を示すグラフである。
【図３】補正値を決定する方法の概要を説明するための概念図である。
【図４】補正値の変動の態様を説明するための概念図である。
【図５】補正値の変動の態様を説明するための概念図である。
【図６】画像処理装置の構成を示すブロック図である。
【図７】画像処理装置の動作を説明するためのタイミングチャートである。
【図８】補正値を決定するための構成を示すブロック図である。
【図９】補正値を決定するための処理を説明するためのフローチャートである。
【図１０】補正値を決定する処理の具体例を説明するための概念図である。
【図１１】本発明に係る電子機器の具体的な形態を示す斜視図である。
【図１２】本発明に係る電子機器の具体的な形態を示す斜視図である。
【図１３】本発明に係る電子機器の具体的な形態を示す斜視図である。
【符号の説明】
【００８０】
Ｄ……電気光学装置、Ｕ……電気光学素子、１０……電気光学パネル、１２……走査線、１４……データ線、２２……走査線駆動回路、２４……データ線駆動回路、４０……画像処理装置、４１……入出力回路、４３……アドレスカウンタ、４４……メモリ、４７……アドレスカウンタ、５１……補正幅メモリ、５２……最大値メモリ、５４……補間部、５６……補正部、７１……測定器、７３……情報処理装置、７３１……制御部、７３２……記憶部、Ｓ……補正区間、Ｓv……変動区間、Ｓw……固定区間、ＳＴ……補正開始点。
【図１】
2007086579.tif 000003
【図２】
2007086579.tif 000004
【図３】
2007086579.tif 000005
【図４】
2007086579.tif 000006
【図５】
2007086579.tif 000007
【図６】
2007086579.tif 000008
【図７】
2007086579.tif 000009
【図８】
2007086579.tif 000010
【図９】
2007086579.tif 000011
【図１０】
2007086579.tif 000012
【図１１】
2007086579.tif 000013
【図１２】
2007086579.tif 000014
【図１３】
2007086579.tif 000015